(57)【要約】      （修正有）【課題】対面式、背面式のいずれの形態をした乳母車にも適用できることは勿論、いずれの形態へ変更する際においても取り付けたままスムーズに変更することができる乳母車用カバーを提供する。【解決手段】乳母車Ａに有するハンドルＤを、乳幼児Ｂに対して、背面側に傾倒させた背面式形態、或いは、対面側に傾倒させた対面式形態のいずれかの形態へと変更可能とすべく、上記ハンドルＤの側方フレームＤａが乳母車Ａ本体の側方に枢着された両対面式乳母車ＡにおいてハンドルＤを除く略全体に被覆する乳母車用カバー１１であって、上記乳母車Ａの側方に位置するカバー面に、上記ハンドルＤの側方フレームＤａの貫通を許容するスリット部２８を形成し、上記スリット部における、上記側方フレームＤａの貫通を許容する部位以外の部位を閉塞可能に固定する固定手段２９を、上記スリット部の近傍に備えて形成した乳母車用カバー。【選択図】    図６
2006131210.tif 000002
【特許請求の範囲】
【請求項１】
乳母車を進行させるために把持するハンドルを、上記乳母車に乗車している乳幼児に対して、背面側に傾倒させた背面式形態、或いは、対面側に傾倒させた対面式形態のいずれかの形態へと変更可能とすべく、上記ハンドルにおける側方フレームが乳母車本体の側方に枢着された両対面式乳母車における、上記ハンドルを除く略全体に被覆して上記乳幼児を保護する乳母車用カバーであって、
上記乳母車の側方に位置するカバー面に、上記ハンドルの側方フレームの貫通を許容するスリット部を形成し、
上記スリット部における、上記側方フレームの貫通を許容する部位以外の部位を閉塞可能に固定する固定手段を、上記スリット部の近傍に備えて形成した
乳母車用カバー。
【請求項２】
前記スリット部を、上記乳母車の側方に位置するカバー面における略上下方向に該カバー面の下端部にかけて形成した
請求項１に記載の乳母車用カバー。
【請求項３】
前記乳母車の座席部の前面側に位置する前面カバーを、上側から下方に進むにつれて末広がり形状に形成し、
上記前面カバーと上記乳母車の側方に位置する側面カバーとの対向縁部間を前記スリット部に設定した
請求項１、又は請求項２に記載の乳母車用カバー。
【請求項４】
前記スリット部を、上記乳母車の側方に位置するカバー面における略前後方向に向けて形成した
請求項１から請求項３のいずれか一項に記載の乳母車用カバー。
【請求項５】
前記固定手段をスライドファスナで形成し、
前記スリット部を、スライダがスライド可能な曲率を有する曲率部を介して前記カバー面の下端部にかけて形成した
請求項１から請求項４のいずれか一項に記載の乳母車用カバー。
【請求項６】
前記スリット部の長さ方向における長さを、ハンドルにおけるカバー面を貫通する部位が揺動したときに描く軌跡の揺動幅に対応する長さを具備して形成した
請求項４、又は請求項５に記載の乳母車用カバー。
【請求項７】
前記固定手段を、前記スリット部の長さ方向における両側から閉口可能とするスライダを２つ備えたスライドファスナで形成した
請求項１から請求項６のいずれか一項に記載の乳母車用カバー。
【請求項８】
前記側面カバーにおける上方前方側に、通気用の窓部を形成した
請求項３から請求項７のいずれか一項に記載の乳母車用カバー。
【請求項９】
前記前面カバーにおける下部側に、通気用の窓部を形成した
請求項３から請求項８のいずれか一項に記載の乳母車用カバー。
【発明の詳細な説明】
【技術分野】
【０００１】
この発明は、雨、風、粉塵、排気ガスなどの外的要因から乳幼児を保護するために、乳母車に被覆して用いられる乳母車用カバーに関し、さらに詳しくは、両対面式の乳母車が背面式形態、或いは、対面式形態のいずれの形態とした場合においてもであっても用いることのできる乳母車用カバーに関する。
【背景技術】
【０００２】
最近、保護者が乳母車に乗車している乳幼児に対して対面側、或いは、背面側のいずれの側からでも乳母車を押し進めることのできる両対面式の乳母車が普及しつつある。
【０００３】
このような両対面式乳母車は、乳母車を押し進めるために保護者等が把持する乳母車のハンドルを乳幼児に対して背面側に傾倒することで背面式形態、或いは、対面側に傾倒することで対面式形態のいずれかの形態へと任意に変更できるよう、ハンドルを構成する側方フレームを乳母車の側方に位置するフレームに枢着して構成している。
【０００４】
ところで、乳母車に乗車している乳幼児を雨、風、雪などの外的要因から保護するために、乳母車に被覆して用いる乳母車用カバーが存在する。
【０００５】
上記乳母車用カバーは、背面式形態、或いは、対面式形態のいずれか一方の形態としてのみ用いられるタイプの乳母車に被覆して用いるものが殆どである。
【０００６】
しかし、中には、図１５（ａ），（ｂ）に示したような、上記両対面式の乳母車が背面式形態（図１５（ａ））、或いは、対面式形態（図１５（ｂ））のいずれの形態とした場合にも対応できる乳母車用カバー１０１も存在する。
【０００７】
上記乳母車用カバー１０１は、前面側（乳母車の座席に対向する側）カバーの上部１０２、及び、背面側（乳母車の座席の背面側）カバーの上部１０３における各カバー面をフラップ状に形成し、該部位には、開口部１０５，１０６を形成している。
【０００８】
このような乳母車用カバー１０１の乳母車１００への取り付けは、以下のようにして行われる。  
乳母車１００が対面式形態である場合、乳母車用カバー１０１の前面側の上部に有するフラップ状のカバー面１０２を捲り上げて開口するとともに、乳母車１００を上方から乳母車用カバー１０１により被覆する。
【０００９】
このとき、乳母車１００は上記対面式形態であり、ハンドル１０４は、前方側に傾倒しているため、乳母車用カバー１０１の前面側の該開口部１０５から、カバーの外側へハンドルが突き出した状態で乳母車１００を被覆することができる（図１５（ａ）参照）。
【００１０】
一方、乳母車１００が背面式形態である場合、乳母車用カバー１０１の背面側上部に有するフラップ状のカバー面を捲り上げて開口部１０６を開口するとともに、乳母車１００を上方から乳母車用カバー１０１により被覆する。
【００１１】
このとき、乳母車１００は上記背面式形態であり、ハンドル１０４は、後方側に傾倒しているため、乳母車用カバー１０１の背面側の該開口部１０６から、カバーの外側へハンドル１０４が突き出した状態で乳母車１００を被覆することができる（図１５（ｂ）参照）。
【００１２】
ところが、上記乳母車用カバー１０１は、上述したように、両対面式の乳母車１００をいずれの形態とした場合にも対応できるものの、ハンドル１０４の向きを切替えるようとすると、該ハンドル１０４が乳母車用カバー１０１に干渉するため、乳母車１００の形態を変更しようとする度に、いちいち乳母車１００から乳母車用カバー１０１を取り外す必要があるとともに、ハンドル１０４を切替えた後から乳母車用カバー１０１を乳母車１００へ取り付ける必要があり、非常に面倒である。
【００１３】
しかも、乳母車１００に対して乳母車用カバー１０１を取り外したときから取り付けるまでの間、乳幼児が雨や虫などの外的要因に晒されることになる。このため、乳幼児が雨に濡れてしまうことや、再度、乳母車用カバー１０１を取り付けたとき、該乳母車用カバー１０１内に虫が入り込んでしまうなど、乳幼児の保護が不充分になるといった問題も有する。
【発明の開示】
【発明が解決しようとする課題】
【００１４】
そこで本発明では、対面式、背面式のいずれの形態をした乳母車にも適用できることは勿論、いずれの形態へ変更する際においても取り付けたままスムーズに変更することができる乳母車用カバーの提供を目的とする。
【課題を解決するための手段】
【００１５】
本発明の乳母車用カバーは、乳母車を進行させるために把持するハンドルを、上記乳母車に乗車している乳幼児に対して、背面側に傾倒させた背面式形態、或いは、対面側に傾倒させた対面式形態のいずれかの形態へと変更可能とすべく、上記ハンドルにおける側方フレームが乳母車本体の側方に枢着された両対面式乳母車における、上記ハンドルを除く略全体に被覆して上記乳幼児を保護する乳母車用カバーであって、上記乳母車の側方に位置するカバー面に、上記ハンドルの側方フレームの貫通を許容するスリット部を形成し、上記スリット部における、上記側方フレームの貫通を許容する部位以外の部位を閉塞可能に固定する固定手段を、上記スリット部の近傍に備えて形成したことを特徴とする。
【００１６】
上記固定手段には、例えば、面ファスナ、ホック、スライドファスナ、スナップなどを含む。
【００１７】
特に、上記固定手段には、上記スリット部の長さ方向における両側から閉口可能とするスライダを２つ備えたスライドファスナであることが好ましい。
【００１８】
上記乳母車用カバーは、そのカバー面の全体、或いは、少なくとも１部位をメッシュ地で形成してもよい。
【００１９】
その他、上記乳母車用カバーは、上記乳母車の存在を確認容易とする発光手段を備えて形成してもよい。
【００２０】
なお、上記発光手段とは、自発的に発光する蓄光発光手段、或いは外側からの入射光を反射する反射発光手段なども示す。
【００２１】
本発明の乳母車用カバーは、上記スリット部を上記乳母車の側方に位置するカバー面における略上下方向に該カバー面の下端部にかけて形成したことを特徴とする。
【００２２】
また、上記乳母車用カバーは、上記乳母車の座席部の前面側に位置する前面カバーを、上側から下方に進むにつれて末広がり形状に形成し、上記前面カバーと上記乳母車の側方に位置する側面カバーとの対向縁部間を上記スリット部に設定することが好ましい。
【００２３】
或いは、乳母車用カバーは、上記スリット部を、上記乳母車の側方に位置するカバー面における略前後方向に向けて形成することもできる。
【００２４】
乳母車用カバーは、上記固定手段をスライドファスナで形成し、上記スリット部を、スライダがスライド可能な曲率を有する曲率部を介して上記カバー面の下端部にかけて形成することが好ましい。
【００２５】
さらに、上記スリット部の長さ方向における長さを、ハンドルにおけるカバー面を貫通する部位が揺動したときに描く軌跡の揺動幅に対応する長さを具備して形成することが好ましい。
【００２６】
上記乳母車用カバーには、１つ、或いは複数の通気用の窓部を任意の部位に形成することができるが、該通気用の窓部は、上記側面カバーにおける上方前方側に形成したり、或いは、上記前面カバーにおける下部に形成したりすることが好ましい。
【発明の効果】
【００２７】
請求項１に係る発明によれば、乳母車が対面式形態、或いは背面式形態のいずれの形態であっても、容易に乳母車用カバーを乳母車に取り付けることができる。  
さらに、乳母車用カバーを乳母車に取り付けたままの状態で、乳母車の形態を一方の形態からもう一方の形態へと容易に変更することができる。
【００２８】
しかも、乳母車の形態を変更する場合でも、乳母車用カバーが乳母車に対して位置ずれすることがないため、見栄えよく変更できるとともに、乳幼児が外的要因に晒されることもない。これは、ハンドルの側方フレームの位置に応じてスリット部を自在に開閉することができるためである。
【００２９】
請求項２に係る発明によれば、乳母車の側方に位置するカバー面の下端部にかけてスリット部を形成しているため、乳母車の上方から乳母車用カバーを被覆したとき、受動的に、ハンドルの側面フレームがスリット部に貫通するため、容易に乳母車に乳母車用カバーを取り付けることができる。
【００３０】
請求項３に係る発明によれば、前面カバーを末広がり形状に形成しているため、乳母車が対面式形態となるようハンドルを切り替えたとき、前面カバーが弛緩し、それに伴って、スリット部が前面カバー側（前方側）へスムーズに移動する。一方、乳母車が背面式形態となるようハンドルを切り替えたとき、前面カバーが伸張し、それに伴って、スリット部が前面カバーと反対側（後方側）へ移動する。
【００３１】
このため、乳母車用カバーを取り付けたまま、乳母車の形態をスムーズに変更できるとともに、スリット部自体が乳母車の周方向に移動させることができるため、スリット部が必要以上に開口したり、カバー面が破れたりしてしまうこともない。
【００３２】
さらに、前面カバーと側面カバーとの対向縁部間をスリット部に設定することで、カバー面を直接、裁断するなどして新たに該カバー面にスリット部を形成する必要もない。  
このため、カバー面を例えば、一枚のカバーシート部材で形成することができるため、乳母車用カバー全体の外観を損なうことがなく、乳母車用カバー内にいる乳幼児も閉塞感を感じることがない。その他にも乳母車用カバーを丈夫に形成することができるとともに、コストの低減を図ることができるといった効果を奏することができる。
【００３３】
また、請求項４に係る発明によれば、ハンドルの側方フレームは、乳母車本体に対して前後方向に揺動し、これに対応させて、スリット部も側方カバーにおける前後方向に向けて形成することにより、乳母車本体に対して前後方向に揺動可能に枢着された側方フレームが如何なる形態を採る場合においても、該側方フレームを、スリット部に貫通させることができる。
【００３４】
特に、請求項６に係る発明によれば、スリット部の長さは、側方フレームの貫通を完全に許容できる長さを具備して形成しているため、乳母車の形態変更の際、カバー面が弛緩したり伸張したりすることがなく、乳母車に対する乳母車用カバーの取り付け状態がずれたり、カバー面に負担をかけることがない。
【００３５】
また、請求項５に係る発明によれば、スリット部は、曲率部を具備して構成することにより、例えば、複数のスライドファスナを断続的に具備して形成する必要がなく、スリット部における下端部に向う部位と前後方向へ向う部位とを１つのスライドファスナを用いて連続的に一体に形成することができる。
【００３６】
さらに、請求項５に係る発明によれば、固定手段をスライドファスナで形成することにより、スリット部に隙間が生じることがなく確実に閉塞できるとともに、開閉操作も容易に行うことができる。
【００３７】
特に、請求項７に係る発明によれば、上記固定手段を、スライダを２つ備えたスライドファスナとすることで、側方フレームをスリット部に貫通させても、スリット部の長さ方向における側方フレームを貫通させた部位以外の部位を確実に閉口することができる。
【００３８】
請求項８に係る発明によれば、乳母車の形態を対面式形態、或いは、背面式形態のいずれの形態とした場合であっても、ハンドルの側方フレームによって、通気用の窓部が遮られることがないため、通気性を確保することができる。
【００３９】
また、請求項９に係る発明によれば、通気用の窓部を前面カバーに形成しても、前面カバーの下部側に形成しているため、乗車している乳幼児の前方が遮断されることもない。
【発明を実施するための最良の形態】
【００４０】
この発明の一実施形態を、以下図面を用いて説明する。
【実施例１】
【００４１】
図１に示す乳母車Ａは、両対面式の乳母車Ａであり、該乳母車Ａの左右側方には、両側にハンドルＤの左右各側の側方フレームＤａを枢着している。上記ハンドルＤを座席部Ｅに対して背面側へ傾倒させることで、背面側から押し進めることができる背面式形態、或いは、ハンドルＤを座席部Ｅに対して対向する側へ傾倒させることで、両対面式の上記乳母車Ａは、対向側から押し進めることができる対向式形態のいずれの形態へも変更することができる。
【００４２】
上記図１に示した乳母車Ａは、上記背面式形態に設定しており、該乳母車Ａには、乳児Ｂが乗車している。さらに、上記乳母車Ａの略全体には、本実施形態に係る乳母車用カバー１１が被覆され、乳児Ｂは、雨、風、粉塵、虫などの外的要因から保護されている。
【００４３】
上記乳母車用カバー１１は、その略全体をカバー面により構成するとともに、該カバー面は、撥水性及び柔軟性を有する透明色の合成樹脂製のカバーシート１２により構成している。  
図２に示したように、上記カバーシート１２は、中央部カバーシート１３と側面部カバーシート１４とからなる。  
上記中央部カバーシート１３は、１枚のシート状の部材からなり、上面カバー部１５、背面カバー部１６、前面カバー部１７からなる。
【００４４】
さらに、上記中央部カバーシート１３の周縁部には、帯状の発光帯体１８を縫着し、ステッチを形成している。
【００４５】
上記上面カバー部１５は、乳母車Ａに乳母車用カバー１１を被覆したとき、乳母車Ａの上方を覆うことのできる大きさを備えて形成している。
【００４６】
上記背面カバー部１６は、乳母車Ａに乳母車用カバー１１を被覆したとき、乳母車Ａの背面側に位置する部位であり、その表面には、上記カバーシート１２と同質のシート状の部材を添着することで、哺乳瓶、タオルなどの物品を収納できる収納用袋体１９を形成している。  
なお、上記収納用袋体１９の内部に雨などが入り込むこともないよう、上記収納用袋体１９の上端開口部を閉塞可能とするカバー部材１９ａを上端部にフラップ状に縫着している。
【００４７】
さらに、背面カバー部１６の長さ方向における上面カバー部１５側であって幅方向の両端側縁部には、それぞれ２本の紐部材２１の一端側を縫着している。
【００４８】
また、上記前面カバー部１７は、上面カバー部１５の幅方向に対して乳母車Ａの側方を被覆する際に垂下させる長さだけ左右各側に突出させて形成し、そのまま略半円弧状に突出させて形成している（図２参照）。
【００４９】
或いは、上記前面カバー部１７の形態を、乳母車Ａに乳母車用カバー１１を被覆したときの形態をもとに説明すると、該前面カバー部１７は、主として乳母車Ａの前面側に位置する部位であるが、上端から下端部にかけて、裾広がり状に形成し、その下部を、乳母車Ａの前方側だけではなく、乳母車Ａの左右側方側の前方側にまで達する幅大に形成している（図１参照）。
【００５０】
さらに、上記前面カバー部１７における先端部であって乳母車Ａの幅方向の中央部を隔てた両側には、紐部材２２の一端側が縫着している。紐部材２２には、上記前面カバー部１７に縫着した基部側の表面に一方の面ファスナ２２ａを添着し、自由端部側の裏面に他方の面ファスナ２２ｂを添着している。
【００５１】
また、上記前面カバー部１７の先端側においては、該先端側のカバー面が湾曲するよう上記前面カバー部１７の周縁部に形成した上記発光帯体１８を、カバー面に縫着してステッチを形成している。このように、前面カバー部１７の先端側を湾曲させて形成することで、乳母車Ａに乳母車用カバー１１を被覆したとき、必要以上に上記前面カバー部１７が撓まないようにその形状を維持することができるとともに、前面カバー部１７の内部側に空間を形成することができる。
【００５２】
また、上記側面部カバーシート１４は、右側面部カバーシート１４ａと左側面部カバーシート１４ｂとからなる。その周縁部には、上記中央部カバーシート１３と同様に上記発光帯体１８を縫着し、ステッチを形成している。上記中央部カバーシート１３における上面カバー部シート１２の左右両縁部には、それぞれ左側面部カバーシート１４ｂと右側面部カバーシート１４ａとを添着している。
【００５３】
さらに、上記側面部カバーシート１４は、その後端側をフラップ状に突出させたフラップ部１４ｃを形成している。上記フラップ部１４ｃにおける幅方向の中央部を隔てた両側には、それぞれ紐部材２５，２６を取り付けている。
【００５４】
具体的には、上記フラップ部１４ｃの基部側に取り付けた一方の紐部材２５は、該紐部材２５の先端をステッチとして形成した上記発光帯体１８に縫着することにより取り付け、フラップ部１４ｃの自由端部側に取り付けた他方の紐部材２６は、カバー表面に接着テープで接着することにより、カバー面に縫着による針穴が残らないよう取り付けている。
【００５５】
さらに、上記側面部カバーシート１４には、該側面部カバーシート１４における前方側であって中央部カバーシート１３側に、三角形状をした通気用の窓部２７を形成している。上記窓部２７は、虫や埃が入り込まない程度の網目をしたメッシュ状の部材で形成し、その外周縁部には、上記発光帯体１８を縫着してステッチを形成している。
【００５６】
上記側面部カバーシート１４と上記前面カバー部１７とが対向する両縁部の間には、スリット状の間隙が存在し、該間隙をスリット部２８とする。  
さらに、上記前面カバー部１７と上記側面部カバーシート１４とが対向する両縁部には、一対のスライドファスナ２９を縫着している。具体的には、前面カバー部１７側には、一方のスライドファスナ２９ａを縫着し、側面部カバーシート１４側には、他方のスライドファスナ２９ｂを縫着している。さらに、上記一対のスライドファスナ２９（２９ａ，２９ｂ）の長さ方向における基部側には、スライダ３１を係合している（図２の要部拡大図（ａ）参照）。
【００５７】
一方、スライドファスナ２９の長さ方向における、一方の自由端部側にはスライダ３２を具備し（図２の要部拡大図（ｂ）参照）、他方の自由端部側には、開金具３３を固着して（図２の要部拡大図（ｃ）参照）互いに離間可能に形成している。
【００５８】
すなわち、上記ハンドルの側方フレームが貫通可能とするスリット部２８は、上記乳母車の側方に位置するカバー面に形成しているが、さらに詳しくは、上記スリット部２８は、上記乳母車が上記背面式形態のときと上記対面式形態のときのそれぞれの場合において、上記ハンドルＤの側方フレームＤａにより貫通される各部位の間にかけて形成している。  
そして、上記一対のスライドファスナ２９など、スリット部２８を閉塞する固定手段は、上記側方フレームＤａにより貫通される各部位の間を開閉可能とすべく、上記スリット部２８の縁部に備えている。
【００５９】
本実施形態に係る乳母車用カバー１１は、上述のような構成をとるが、ちなみに、上述した全ての紐部材２１，２２，２５，２６も全て、ステッチとして用いた上記発光帯体１８と同質の帯体により形成している。
【００６０】
次に、乳母車用カバー１１を、背面式形態をした乳母車Ａに対して上記図１のように取り付ける手順について説明する。
【００６１】
まず、上記一対のスライドファスナ２９の係合を離間し、スリット部２８を開放しておく。そして、乳母車Ａに対して乳母車用カバー１１の向きを一致させ、上面カバー部１５を乳母車Ａの幌体Ｆの上に覆い被せる。その際、ハンドルＤの側方フレームＤａがスリット部２８に貫通された状態となるように乳母車用カバー１１を被覆する。
【００６２】
そして、スリット部２８の長さ方向における、ハンドルＤの側方フレームＤａが貫通している部位、換言するとハンドルの側方フレームにおけるスリット部に貫通する部位（以下、貫通部Ｄｂとする（図１参照））を隔てた各側に存在するスライダ３１，３２を、該側方フレームＤａにおける貫通部に向けて摺動させることで、スリット部２８を閉塞する。
【００６３】
続いて、図３に示したように、乳母車Ａの背面側における、乳母車用カバー１１の取り付けについて説明する。まず、乳母車Ａの座席部Ｅの背面側であって、乳母車ＡのハンドルＤの左右両側に有する側方フレームＤａ間に背面カバー部１６を垂下させる。そして、背面カバー部１６に取り付けた左右両側の上記紐部材２１をそれぞれハンドルＤに締結する。さらに、側面部カバーシート１４におけるフラップ部１４ｃを背面カバー部１６へ包み込むように、フラップ部１４ｃを背面カバー部１６側へ折り返し、右側面部カバーシート１４ａと左側面部カバーシート１４ｂどうしを２本の紐部材２５，２６により締結する。
【００６４】
最後に、背面式形態の乳母車Ａの前方側（乳母車Ａの座席部Ｅの対面側）については、乳母車用カバー１１の前面カバー部１７の前端側の２本の紐部材２２をそれぞれ前輪の近傍に有する左右各フレームＧに締結する（図１参照）。  
以上により、乳母車用カバー１１を乳母車Ａに取り付けることができる。
【００６５】
次に、乳母車Ａを図１に示した背面式形態から対面式形態へと変更する際に行う一連の手順について説明する。  
まず、乳母車ＡのハンドルＤを乳児Ｂと対面する側へと回動可能とすべく、ハンドルＤの固定用ロックを解除する（図示せず）。  
そして、ハンドルＤに締結した紐部材２１の締結を解除する。ハンドルＤを対面側へと回動させる際、ハンドルＤの側方フレームＤａは、該側方フレームＤａにおける貫通部Ｄｂがスリット部２８の縁部２９ａ，２９ｂ、或いは、スライダ３１、３２に当接しながら回転することになる（図１の要部拡大図参照）。
【００６６】
これに伴って、図４に示したようにスリット部２８自体が、徐々に乳母車Ａに対して前方側に移動していくとともに、スライダ３１が摺動することでスリット部２８は開口される。
【００６７】
すなわち、乳母車Ａの前側（座席部Ｅに対面する側）へとハンドルＤを回動させているとき、側方フレームＤａにおける貫通部Ｄｂは、略円弧状をした所定の軌道を描くことになる。この軌道の上下方向について着目すると、スリット部２８の一方のスライダ３１は、貫通部Ｄｂにより受動的に押し上げられることになる。
【００６８】
さらに、上記貫通部Ｄｂが移動する上記軌道の前後方向に着目すると、側方フレームＤａにおける貫通部Ｄｂは、スリット部２８の縁部２９ａに当接するため、主に、スリット部２８自体が側面部カバーシート１４とともに前方側へ動作することになる。
【００６９】
そして、最後に乳母車Ａが対面式形態となるようハンドルＤを切替えた後は、スリット部２８の長さ方向における、ハンドルＤの切り替え操作にともなって受動的に開放した部位をスライダ３１，３２により、閉塞すれば、図５、図６に示したように、乳母車Ａを対面式形態へと変更することができる。
【００７０】
上述した、本実施形態に係る乳母車用カバー１１により以下のような効果を奏することができる。
【００７１】
このように、ハンドルＤの切り替え操作をする際において、ハンドルＤの側方フレームＤａが回動することを乳母車用カバー１１によって阻害されなとともに、乳母車用カバー１１（特に側面部カバーシート１４）が乳母車Ａに対して捲くりあがったり、歪んだりすることもない。  
このため、乳児Ｂが外的要因に晒されることもないため、乳児Ｂを保護した状態を維持できる。
【００７２】
逆に、乳母車Ａを対面式形態から背面式形態へと変更する際においても、上述したように、前面カバー部１７を、末広がり状に形成し、ある程度、幅方向については伸縮自在な構成としている。このため、乳母車Ａが対面式形態である場合、ある程度、弛緩していた前面カバー部１７は、ハンドルＤの背面側への切り替え操作にともなって、幅方向に伸長し、側面カバーシート１４とともにスリット部２８を乳母車Ａの後方側へとスムーズに移動させることができる。
【００７３】
すなわち、乳母車用カバー１１は、乳母車Ａが対面式形態、背面式形態のいずれの形態であっても、乳母車Ａに取り付けることができ、しかも、取り付けた状態のままで、もう一方の形態へと容易に変更することができる。
【００７４】
また、スリット部２８を開口自在に閉状態に固定する手段をスライドファスナ２９で形成することにより、スリット部２８を隙間が生じることがなく閉塞できるとともに、開閉操作も容易に行うことができる。特に、上記固定手段を、スライダ３１，３２を２つ備えたスライドファスナ２９とすることで、スリット部２８に側方フレームＤａを貫通しても、スリット部２８の長さ方向における貫通部Ｄｂ以外の部位を確実に閉口することができる。
【００７５】
乳母車Ａの形態を対面式形態、或いは、背面式形態のいずれの形態とした場合であっても、ハンドルＤの側方フレームＤａによって、通気用の窓部２７が全く遮られることがないため（図１，図５参照）、内部の通気性を確保することができる。
【実施例２】
【００７６】
次に、実施例２における乳母車用カバー５１について説明する。但し、上述した実施例１における乳母車用カバー１１と同様の構成については、同一の符号を付して、その説明を省略する。
【００７７】
実施例２における乳母車用カバー５１は、該乳母車用カバー５１を乳母車Ａから取り外して展開した状態においては、図８に示したような形態で形成されるとともに、図９に示したように内部に空間を有した立体形状にした状態で乳母車Ａに取り付けることができる。
【００７８】
具体的には、実施例２における乳母車用カバー５１は、上記図８、及び、上記図９に示したように、実施例１における乳母車用カバー５１と同様に中央部カバーシート５３と側面部カバーシート５４を具備して構成する。
【００７９】
上記中央部カバーシート５３は、１枚のシート状部材により、平面視矩形に形成し、該中央部カバーシート５３における前面カバー部５７、上面カバー部５５、及び、背面カバー部５６を、それぞれ略同一の幅大に形成している。
【００８０】
これに対して側面部カバーシート５４は、実施例１における乳母車用カバー１１における側面部カバーシート５４と同様に中央部カバーシート５３の左右両側から外側に延設して形成している。
【００８１】
さらに、前面カバー部５７と側面部カバーシート５４とにおける対向縁部には、それぞれ一方のスライドファスナ６１ａを縫着するとともに、他方のスライドファスナ６１ｂを縫着している。上記一対のスライドファスナ６１ａ，６１ｂには、２つのスライダ６２ａ，６２ｂを具備している。
【００８２】
上記スライダ６２ａ，６２ｂを摺動させてスライドファスナ６１ａ，６１ｂの係合を適宜、解除すれば、例えば、前面カバー部５７は、上記フラップ状となり（図９における前面カバー部５７の仮想線参照）、該前面カバー部５７を捲り上げて乳母車用カバー５１の前面を開口することや、上記対向縁部（６１ａ，６１ｂ）の長さ方向における所定部位のみ開口して乳幼児の世話などをすることができる。
【００８３】
実施例２における上記側面部カバーシート５４は、乳母車用カバー５１を乳母車Ａに取り付けた状態において、つまり、上記図９に示したような形態から視て、該側面部カバーシート５４における前端側であって上下方向の下側相当部位は、前方へ突き出した形態をした前側フラップ部５４ａを形成している。これに対して側面部カバーシート５４の後端側における上下方向の中央相当部には、後方へ突き出した形態をした後側フラップ部５４ｂを形成している。
【００８４】
さらに、上記側面部カバーシート５４は、上下方向における略中間相当部に前後方向にかけてスリット部６３を形成している。上記スリット部６３における前後方向にかけて形成した部位は、乳母車用カバー５１を乳母車Ａに取り付けたとき、地面に対して略水平形態を維持する（図９参照）。
【００８５】
具体的に、スリット部６３は、該スリット部６３の長さ方向における前方側を、上記側面部カバーシート５４の前端側部位の手前側まで形成している（図１０の要部拡大図（ｃ）参照）。なお、図１０は、図８の領域Ｘを示す。
【００８６】
これに対して、スリット部６３の長さ方向における後方側には、後方下側に向けて曲率した曲率部６３ａを構成している（図１０参照）。スリット部６３は、上記曲率部６３ａを介して後側フラップ部５４ｂの下端部まで形成している（図１０の要部拡大図（ａ）参照）。
【００８７】
上記スリット部６３は、その幅方向における一方の縁部に、一対のスライドファスナ６４ａ，６４ｂにおける一方のスライドファスナ６４ａを縫着するとともに、他方の縁部に、他方のスライドファスナ６４ｂを縫着している（図１０の要部拡大図（ｂ）参照）。
【００８８】
さらに、上記スリット部６３には、その長さ方向においてそれぞれ独立して摺動可能な２つのスライダ６５ａ，６５ｂを具備し、上記一対のスライドファスナ６４ａ，６４ｂを互いに係合、或いは、離間可能に構成している。具体的に、スリット部６３は、該スリット部６３の長さ方向における２つのスライダ６５ａ，６５ｂの間に相当する部位のスライドファスナ６４ａ，６４ｂの係合が解除された状態となるよう構成しているとともに、それ以外の部位のスライドファスナ６４ａ，６４ｂが係合された状態となるよう構成されている（図１０の要部拡大図（ｂ）参照）。
【００８９】
上記スリット部６３における長さ方向における後端部であって、幅方向における一方の縁部には、スライダ６５ａの係合を離間可能とする開金具６６を具備している（図１０の要部拡大図（ａ）参照）。上記開金具６６を用いてスライドファスナ６４ａ，６４ｂに対するスライダ６５ａの係合を解除することにより、スリット部６３における両縁側をスリット状に離間可能に形成している。
【００９０】
また、上記スリット部６３の一対のスライドファスナ６４ａ，６４ｂに対して幅方向の両側には、各カバーシートの周縁に縫着した発光帯体１８と同質の発光帯体１８を縫着している。ちなみに、上記発光帯体１８は、スリット部６３の長さ方向における前方側にかけても、すなわち、上記側面部カバーシート５４における前端に達するまで形成している（図１０要部拡大図（ｃ）参照）。
【００９１】
さらに、後側フラップ部５４ｂにおける後端側、及び、背面カバー部シート５４の基部側には、紐部材６７，６８，６９の一端側を具備している。  
具体的に、後側フラップ部５４ｂにおける後端上部側、及び、背面カバー部シート５４の基部側に縫着した紐部材６７は、乳母車Ａにおける側方フレームＤａに締結可能な長さを有して形成し、該紐部材６７を上部紐部材６７に設定する。
【００９２】
さらに、後側フラップ部５４ｂにおける後端中間部側、及び、後端下端部側にもそれぞれ紐部材の一端側を縫着するとともに、これら紐部材は、左右各側における他方の側と縫着可能な長さを有して形成している。後側フラップ部５４ｂにおける後端中間部側に縫着した紐部材、及び、後端下端部側に縫着した紐部材をそれぞれ第中部紐部材６８、第下部紐部材６９に設定する。
【００９３】
実施例２における乳母車用カバー５１は、上述したように構成している。  
上記乳母車用カバー５１は、乳母車Ａに対して、実施例１におけるスリット部２８を実施例２におけるスリット部６３に対応させ、実施例１で説明した手順と略同様の手順により取り付けることができるため、実施例１と特に異なる手順、或いは、作用、効果を中心に説明する。
【００９４】
実施例２における乳母車Ａにおいては、スリット部６３を曲率部６３ａを介して後方側を下方に向けて形成している。このため、乳母車用カバー５１を乳母車Ａの上方から被せたとき側方フレームＤａをスリット部６３に貫通させ易く、乳母車用カバー５１を乳母車Ａに容易に取り付けることができる。
【００９５】
このような状態で、図１１に示したように、垂下させた背面カバー部５６に対して重合するよう側面部カバーシート５４の後側フラップ部５４ｂを折り返し、左右各側の上部紐部材６７を近傍に有する側方フレームＤａに包持した状態で締結する。さらに、左右各側に有する上記一対の中部紐部材６８どうしを締結するとともに、上記一対の下部紐部材６９どうしを締結する。
【００９６】
さらに、スリット部６３の長さ方向における側方フレームＤａにおける貫通部Ｄｂを隔てた両側に位置する各スライダ６５ａ，６５ｂを、貫通部Ｄｂの近傍にまでスライドさせれば、図１２の要部拡大図に示したように、スリット部６３における側方フレームＤａの貫通部Ｄｂを除いた部位を閉止することができ、乳母車用カバー５１を乳母車Ａに取り付けることができる。
【００９７】
このとき、スリット部６３に曲率部６３ａを具備することにより、一方のスライダ６５ａは、摺動する進行方向を前後方向（水平方向）へスムーズに方向転換してスリット部６３を閉口することができる。
【００９８】
また、スリット部６３の曲率部６３ａに対する前方側においては、上述したように側面部カバーシート５４における略前後方向にかけて形成するとともに、ハンドルＤの側方フレームＤａが揺動する範囲において貫通部Ｄｂの貫通を許容できる長さを具備している。
【００９９】
このため、側方フレームＤａを一方の側から他方の側へ傾ける際に前面カバー部５７、及び、側面部カバーシート５４が側方フレームＤａの移動に伴って、ともに動いてしまうことがなく、貫通部Ｄｂをスリット部６３の長さ方向に沿ってスムーズに動かすことができる（図１３要部拡大図参照）。従って、実施例２における乳母車用カバー５１は、図１３に示したように、乳母車Ａに対して見栄えのよい状態で取り付いた形態を維持することができる。
【０１００】
さらに、実施例２における乳母車用カバー５１は、例えば、乳母車Ａの形態が対面式形態、背面式形態のいずれの形態であっても、乳母車Ａに対する取付け形態を略同一に保つことができるため、乳母車用カバー５１自体の大きさを予め大きく形成する必要もない。或いは、側方フレームＤａを一方の側から他方の側へ傾ける際、側面部カバーシート５４自体を過度に引っ張ることがないため、該側面部カバーシート５４に負担を要することがなく、乳母車用カバー５１を取り付けた状態でスムーズに乳母車Ａの形態を変更することができる。
【０１０１】
また、乳母車用カバー５１における後側フラップ部５４ｂを、乳母車Ａにおける背面側において折り返して、適宜、上述した紐部材６７，６８，６９で締結している。これに伴って、スリット部６３の後端側は、曲率部６３ａ相当部において背面側に屈曲した形態を採る（上記図１１参照）。このため、一方のスライダ６５ａが不用意に曲率部６３ａを通過して後端側へ摺動してしまうこともなく、スリット部６３が開口してしまうこともない。
【０１０２】
これに対して、例えば、乳母車用カバー５１を乳母車Ａから取り外す場合は、背面側に折り返した後側フラップ部５４ｂを元の折り返す前の状態に戻せば、一方のスライダ６５ａをスムーズに曲率部６３ａを通過させることができる。このため、スリット部６３を開口して乳母車用カバーを乳母車Ａから容易に取り外すことができる。
【実施例３】
【０１０３】
本発明に係る乳母車用カバーは、上述した構成に限定せず、例えば、実施例３における乳母車用カバー７１のように構成することもできる。
【０１０４】
以下、実施例３における乳母車用カバー７１の構成について説明するが、上述した実施例１における乳母車用カバー１１、或いは、実施例２における乳母車用カバー５１と同様の構成については、同一の符号を付して、その説明を省略する。
【０１０５】
実施例３における乳母車用カバー７１は、図１３に示したような構成を採るスリット部７２を具備する。具体的に、上記スリット部７２は、実施例２におけるスリット部７２と同様に側面カバーシート５４における前後方向に形成しているが、後側フラップ部５４ｂに相当する部位には形成していない。これに対して、上記スリット部７２の長さ方向における前端側には、下方へと湾曲する曲率部７２ａを有してい形成している。上記スリット部７２は、曲率部７２ａを介して側面部カバーシート５４の下端部まで略上下方向に形成している。
【０１０６】
また、乳母車Ａに対する乳幼児の乗降動作をする場合、或いは、乳母車用カバー７１を取り付けた状態の乳母車Ａに着座する乳母車Ａの世話をする場合においては、実施例２における乳母車用カバー５１と同様に、前面カバー部５７と側面部カバーシート５４とにおける対向縁部（６１ａ，６１ｂ）を任意の長さだけ開口して行うことができる。
【０１０７】
上記構成を採る実施例３における乳母車用カバー７１を乳母車Ａに取り付ける際、或いは、乳母車Ａに取り付けた状態において乳母車Ａの形態を変更する際は、実施例１、或いは、実施例２において詳説した手順と同様に適宜、スリット部２８，７２を開口して行うことができる。
【０１０８】
この発明は、上述の実施形態の構成のみに限定されるものではなく、多くの実施の形態を得ることができる。  
例えば、図８に示したように、他の乳母車用カバーの実施形態として、上記通気用の窓部２７は、上記側面部カバーシート１４に形成することに限定せず、前面カバー部１７の下部側にも形成してもよい。
【０１０９】
このような構成とすれば、ハンドルＤの存在により、通気性を有する窓部２７が遮られることもなく、しかも、乗車している乳幼児の前方が遮断されることもない。
【０１１０】
また、上記スリット部２８，６３，７２は、実施例１における乳母車用カバー１１のように略上下方向にかけてのみ形成する、或いは、略前後方向にかけてのみ形成してもよい。さらに、実施例２における乳母車用カバー５１、若しくは実施例３における乳母車用カバー７１のように曲率部６３ａ，７２ａを介して略前後方向と略上下方向にかけて形成したものを組み合わせた構成としてもよい。加えて、スリット部は、前後方向にかけて形成した部位の前端側と後端側の両方に曲率部を具備して形成することもできる。
【０１１１】
また、上記収納用袋体の形成箇所、形成する数、大きさも１つの形態に限定しない。
【０１１２】
最後に、上述した実施形態と、この発明の構成との対応において、この実施形態の
側面部カバーシート５４は、この発明の乳母車の側方に位置するカバー面、及び、側面カバーに対応し、以下、同様に、
前面カバー部５７は、前面カバーに対応し、
貫通部Ｄｂは、ハンドルにおけるカバー面を貫通する部位に対応するものとする。
【図面の簡単な説明】
【０１１３】
【図１】実施例１おける乳母車用カバーの使用状態を示した側面図。
【図２】実施例１おける乳母車用カバーを要部を拡大して示した平面図。
【図３】実施例１おける乳母車用カバーの使用状態図を示した背面図。
【図４】実施例１おける乳母車用カバーの特徴を説明する側面図。
【図５】実施例１おける乳母車用カバーの他の使用状態を示した側面図。
【図６】実施例１おける乳母車用カバーの他の使用状態を示した外観図。
【図７】他の乳母車用カバーの他の使用状態を示した外観図。
【図８】実施例２おける乳母車用カバーを要部を拡大して示した平面図。
【図９】実施例２おける乳母車用カバーの他の形態を示す外観図。
【図１０】図８の領域Ｘ、及び、該領域Ｘの要部を拡大して示した説明図。
【図１１】実施例２おける乳母車用カバーの使用状態図を示した背面図。
【図１２】実施例２おける乳母車用カバーの使用状態図を示した外観図。
【図１３】実施例２おける乳母車用カバーの他の使用状態図を示した説明図。
【図１４】実施例３おける乳母車用カバーの使用状態図を示した外観図。
【図１５】従来の乳母車用カバーの使用状態図。
【符号の説明】
【０１１４】
１１，５１，７１…乳母車用カバー
１４，５４…側面部カバーシート
１７，５７…前面カバー部
２７…窓部
２８，６３，７２…スリット部
２９，６４…スライドファスナ
６３ａ，７２ａ…曲率部
Ａ…乳母車
Ｄ…ハンドル
Ｄａ…側方フレーム
Ｄｂ…貫通部
Ｅ…座席部
【図１】
2006131210.tif 000003
【図２】
2006131210.tif 000004
【図３】
2006131210.tif 000005
【図４】
2006131210.tif 000006
【図５】
2006131210.tif 000007
【図６】
2006131210.tif 000008
【図７】
2006131210.tif 000009
【図８】
2006131210.tif 000010
【図９】
2006131210.tif 000011
【図１０】
2006131210.tif 000012
【図１１】
2006131210.tif 000013
【図１２】
2006131210.tif 000014
【図１３】
2006131210.tif 000015
【図１４】
2006131210.tif 000016
【図１５】
2006131210.tif 000017